(57)【要約】【課題】エネルギに関するデータの比較表示におけるユーザ利便性を高める。【解決手段】エネルギに関するデータについて、ユーザによって指定された基準期間におけるデータＤ１と、比較期間におけるデータＤ２とが表示画面によって比較表示される（Ｓ１５０）。基準期間は、ユーザに指定された期間長（日／月／年）を有する。比較期間には、ユーザ入力に従って、基準期間と同一の期間長を有する直前期間、および、直前期間とは異なる基準期間と同一の期間長を有する同種期間の一方が選択される。基準期間の期間長が日であるときには、前週の同一曜日が比較期間に設定され、基準期間の期間長が月であるときには、前年の同一月が比較期間に設定される。【選択図】図１２
2017011361.tif 000002
【特許請求の範囲】
【請求項１】
エネルギシステムにおけるエネルギ処理状況に関するデータを表示するためのエネルギ表示装置であって、
基準期間における前記データである基準データを取得するための第１の取得手段と、
前記基準期間との比較対象となる比較期間を選択するための選択手段と、
前記選択手段による選択に従って前記比較期間における前記データである比較データを取得するための第２の取得手段と、
前記基準データと前記比較データとを比較表示するための表示手段とを備える、エネルギ表示装置。
【請求項２】
前記選択手段は、
ユーザによって入力された選択指示に従って、前記基準期間と同一期間長を有する、第１の所定期間と第２の所定期間とのいずれか一方を選択する手段を含む、請求項１記載のエネルギ表示装置。
【請求項３】
前記選択手段は、
前記基準データと、前記基準期間と同一期間長を有する第１の所定期間における前記データとの差が所定値よりも小さいときに前記第１の所定期間を前記比較期間に選択する一方で、前記差が前記所定値よりも大きいときに、前記同一期間長を有する第２の所定期間を前記比較期間に選択する手段を含む、請求項１記載のエネルギ表示装置。
【請求項４】
前記第１の所定期間は、前記基準期間の直前期間であり、
前記第２の所定期間は、前記直前期間とは異なる所定の他の期間である、請求項２または３記載のエネルギ表示装置。
【請求項５】
前記基準期間は、今日の所定時刻から第１の時刻までの期間であり、
前記第１の時刻は、現在時刻または現在時刻よりも前の時刻であり、
前記直前期間は、昨日における前記所定時刻から前記第１の時刻までの期間であり、
前記他の期間は、先週での今日と同一曜日における前記所定時刻から前記第１の時刻までの期間である、請求項４記載のエネルギ表示装置。
【請求項６】
前記基準期間は、昨日における所定時間帯であり、
前記直前期間は、一昨日における前記所定時間帯であり、
前記他の期間は、先週における昨日と同一曜日における前記所定時間帯である、請求項４記載のエネルギ表示装置。
【請求項７】
前記基準期間は、今月の所定日から今日までの期間であり、
前記直前期間は、先月における前記所定日から前記今日と同一日までの期間であり、
前記他の期間は、前年の前記今月と同一月における前記所定日から前記今日と同一日までの期間である、請求項４記載のエネルギ表示装置。
【請求項８】
前記基準期間は、先月の第１の所定日から第２の所定日までの期間であり、
前記直前期間は、一昨月における前記第１の所定日から前記第２の所定日までの期間であり、
前記他の期間は、前年の前記先月と同一月における前記第１の所定日から前記第２の所定日までのである、請求項４記載のエネルギ表示装置。
【発明の詳細な説明】
【技術分野】
【０００１】
この発明は、エネルギ表示装置に関し、より特定的には、エネルギ処理状況に関するデータを比較表示するためのエネルギ表示装置に関する。
【背景技術】
【０００２】
エネルギシステムにおいて、エネルギ処理状況に関するデータをリモコンに表示することが行われている。たとえば、特開２０１２−１７８７０１号公報（特許文献１）には、表示対象となるデータが多数であっても、所望の内容および期間のデータをユーザが確認する際の操作性を良好にするための表示態様が記載されている。
【０００３】
特に、特許文献１には、「日間」、「月間」あるいは「年間」といった一定期間毎におけるデータ（発電量等）を複数個並べて比較表示する態様が一例として示されている。
【先行技術文献】
【特許文献】
【０００４】
【特許文献１】特開２０１２−１７８７０１号公報
【発明の概要】
【発明が解決しようとする課題】
【０００５】
しかしながら、特許文献１の表示では、比較対象が、今日と昨日（「日間」の選択時）、今月と先月（「月間」の選択時）、あるいは、今年と昨年（「年間」の選択時）のように固定されている。
【０００６】
一方で、エネルギに関連するデータのうち、生活パターンの差異によって大きく変化するデータについては、比較対象を固定した表示を行うと、十分にユーザの利便性を高めることができない可能性がある。たとえば、ユーザによっては、日単位でのデータを比較表示する場合に、今日と前日とを比較した方がよいデータと、今日と一週間前の同曜日とを比較した方が良いデータとの両方が存在することが考えられる。
【０００７】
この発明はこのような問題点を解決するためになされたものであって、この発明の目的は、エネルギに関するデータの比較表示におけるユーザ利便性を高めることである。
【課題を解決するための手段】
【０００８】
この発明のある局面では、エネルギシステムにおけるエネルギ処理状況に関するデータを表示するためのエネルギ表示装置であって、基準期間におけるデータである基準データを取得するための第１の取得手段と、基準期間との比較対象となる比較期間を選択するための選択手段と、選択手段による選択に従って比較期間におけるデータである比較データを取得するための第２の取得手段と、基準データと比較データとを比較表示するための表示手段とを備える。
【０００９】
上記エネルギ表示装置によれば、ユーザによって指定された基準期間に対する比較対象を固定することなく、「エネルギ処理状況に関するデータ」の比較表示を行うことができる。したがって、ユーザの生活パターン（休日／勤務日）の差異または気候の差異のために効果が低い比較表示が固定的に実行されることを回避して、ユーザ利便性を向上することができる。
【００１０】
なお、本発明において、「エネルギ処理状況」とは、エネルギの消費に関する事項だけではなく、たとえばエネルギを発生させたり、あるいは売買するといった状況も含む意である。また、「エネルギ処理状況に関するデータ」とは、上述したようなエネルギ処理状況を直接示すデータ（たとえば、エネルギ消費量や発電量など）に加え、たとえばエネルギ消費量を金額や二酸化炭素の発生量で示すなど、エネルギ処理状況を間接的に示すデータも含む意である。
【００１１】
好ましくは、選択手段は、ユーザによって入力された選択指示に従って、基準期間と同一期間長を有する、第１の所定期間と第２の所定期間とのいずれか一方を選択する手段を含む。
【００１２】
このようにすると、同一期間長を有する第１および第２の所定期間の間で比較対象を選択して比較表示を行うことにより、ユーザ利便性を向上することができる。
【００１３】
また好ましくは、選択手段は、基準データと、基準期間と同一期間長を有する第１の所定期間におけるデータとの差が所定値よりも小さいときに第１の所定期間を比較期間に選択する一方で、差が所定値よりも大きいときに、同一期間長を有する第２の所定期間を比較期間に選択する手段を含む。
【００１４】
このようにすると、基準期間と、予め定められた第１の所定期間との間でのデータの差に基づいて、第１の所定期間および第２の所定期間の一方を自動的に比較期間とした比較表示を実行することができる。これにより、比較表示におけるユーザ利便性をさらに向上することができる。
【００１５】
好ましくは、第１の所定期間は、基準期間の直前期間であり、第２の所定期間は、直前期間とは異なる所定の他の期間である。
【００１６】
このようにすると、基準期間と当該基準期間の直前期間との間での比較表示に固定することなく、ユーザ選択あるいは自動選択によって、予め定められた他の期間（たとえば、生活パターンが類似する先週の同一曜日、あるいは、気候条件が類似する昨年の同一月）との比較表示を行うことができるので、比較表示におけるユーザ利便性が向上する。
【００１７】
好ましくは、基準期間は、今日の所定時刻（たとえば、０時）から、現在時刻または現在時刻よりも前の時刻である第１の時刻までの期間であり、直前期間は、昨日における同一の所定時刻から上記第１の時刻までの期間であり、他の期間は、先週での今日と同一曜日における同一の所定時刻から上記第１の時刻までの期間である。あるいは、基準期間は、昨日における所定時間帯（たとえば、０時〜２４時）であり、直前期間は、昨日における同一の所定時間帯であり、他の期間は、先週における昨日と同一曜日における同一の所定時間帯である。
【００１８】
このように、基準期間の期間長を「日」とした下で、今日または昨日を基準期間として、直前期間となる昨日あるいは一昨日、または、他の期間となる一週間前の同一曜日との間で選択的に比較表示を行うことができる。
【００１９】
また好ましくは、基準期間は、今月の所定日（たとえば、１日）から今日までの期間であり、直前期間は、先月における同一の所定日から今日と同一日までの期間であり、他の期間は、前年の今月と同一月における同一の所定日から昨日と同一日までの期間である。あるいは、基準期間は、先月の第１の所定日から第２の所定日までの（たとえば、１日〜末日）であり、直前期間は、一昨月における第１の所定日から第２の所定日までの期間であり、他の期間は、前年における先月と同一月における第１の所定日から第２の所定日までの期間である。
【００２０】
このように、基準期間の期間長を「月」とした下で、今月または先月を基準期間として、直前期間となる先月あるいは先々月、または、他の期間となる一年前の同一月との間で選択的に比較表示を行うことができる。
【発明の効果】
【００２１】
この発明によれば、エネルギに関するデータの比較表示におけるユーザ利便性を高めることができる。
【図面の簡単な説明】
【００２２】
【図１】本発明の実施の形態に従うエネルギ表示装置が適用されるエネルギシステムの構成例を示すブロック図である。
【図２】本発明の実施の形態に従うエネルギ表示装置における直前比較表示の表示画面の第１の例（数値表示画面）を説明する図である。
【図３】本発明の実施の形態に従うエネルギ表示装置における直前比較表示の表示画面の第２の例（グラフ表示画面）を説明する図である。
【図４】本発明の実施の形態に従うエネルギ表示装置での比較表示における比較対象を選択するための入力画面の例を示す図である。
【図５】本発明の実施の形態に従うエネルギ表示装置における同種比較表示の表示画面の第１の例（数値表示画面）を説明する図である。
【図６】図５の状態から基準期間を変更したときの表示画面を説明する図である。
【図７】本発明の実施の形態に従うエネルギ表示装置における同種比較表示の表示画面の第２の例（グラフ値表示画面）を説明する図である。
【図８】図７の状態から基準期間を変更したときの表示画面を説明する図である。
【図９】図７および図８に示されたグラフ値表示画面の変形例を説明する図である。
【図１０】本発明の実施の形態に従うエネルギ表示装置におけるデータを記憶するためのテーブル構成を説明する第１の概念図である。
【図１１】本発明の実施の形態に従うエネルギ表示装置におけるデータを記憶するためのテーブル構成を説明する第２の概念図である。
【図１２】本発明の実施の形態に従うエネルギ表示装置での比較表示のための制御処理を説明するフローチャートである。
【図１３】本発明の実施の形態の変形例に従うエネルギ表示装置での比較表示における比較対象を選択するための入力画面の例を示す図である。
【図１４】本発明の実施の形態の変形例に従うエネルギ表示装置での比較表示のための制御処理を説明するフローチャートである。
【発明を実施するための形態】
【００２３】
以下に、本発明の実施の形態について図面を参照して詳細に説明する。なお以下では、図中の同一または相当部分には同一符号を付してその説明は原則的に繰返さないものとする。
【００２４】
図１は、本発明の実施の形態に従うエネルギ表示装置が適用されるエネルギシステムの構成例を示すブロック図である。
【００２５】
図１を参照して、エネルギシステム１００は、ユーザインタフェースのためのリモートコントール装置２００（以下、単に「リモコン２００」とも称する）へのユーザ入力に応じて制御される。以下の説明で明らかになるように、図１に例示されたエネルギシステム１００は、コージェネレーションシステムとして構成されている。
【００２６】
エネルギシステム１００は、ガスエンジンで構成される熱源機２５と、熱源機２５からの動力によって運転される発電機２０と、ソーラ電池パネル２６とを備える。すなわち、エネルギシステム１００は、複数の発電要素を有する。ソーラ電池パネル２６による発電電力は、パワーコンディショナ２７によって、系統電源と同等の交流電力に変換された後、屋内分電盤２８に送られる。発電機２０は、作動時には、系統電源と同等の交流電力を屋内分電盤２８へ送出する。
【００２７】
屋内分電盤２８は、家屋内の各所へ電力を分配する。発電機２０およびパワーコンディショナ２７から屋内分電盤２８へ出力された発電電力よりも、屋内分電盤２８から家屋内へ供給される消費電力が大きい場合には、不足分の電力が系統電源より買電される。反対に、発電電力が消費電力よりも大きい場合には、太陽光発電による発電電力のうち、余剰分の電力が系統電源へ売電される。売電量および買電量は、電力量計２９ａによって計測される。
【００２８】
エネルギシステム１００は、さらに、熱交換器を有する加熱装置２１と、貯湯タンク２２と、補助熱源機２３と、コントローラ２４とを備える。
【００２９】
加熱装置２１は、熱源機２５からの排熱を利用した熱交換によって、入水を加熱することによって温水を生成する。加熱装置２１で生成された温水は貯湯タンク２２に貯留される。補助熱源機２３は、たとえば、ガス燃焼方式の熱源機によって構成される。貯湯タンク２２に貯留された温水は、補助熱源機２３によって加熱され、または加熱されることなく所定温度に調整されて、一般給湯用に用いられる。エネルギシステム１００への入水量は、水量計２９ｃによって計測される。また、熱源機２５および補助熱源機２３における燃料ガスの消費量は、ガス流量計２９ｂによって計測される。
【００３０】
エネルギシステム１００の各部の動作は、リモコン２００へのユーザ指示（運転オン／オフおよび温度設定、時刻設定等）に従ってエネルギシステム１００が動作するように、コントローラ２４によって制御される。コントローラ２４は、代表的には、マイクロコンピュータによって構成される。
【００３１】
また、電力量計２９ａ、ガス流量計２９ｂ、および水量計２９ｃからの各種エネルギの使用量あるいは売買量のデータは、このコントローラ２４に送信される。なお、補助熱源機２３をガス燃焼方式の熱源機とした場合、そのガス消費量をガス流量計２９ｂで計測させることは可能であるが、必ずしもこれに限定されず、たとえば湯水加熱に要した熱量や燃料ガスの発熱量に基づいて演算する手法を用いることも可能である。
【００３２】
したがって、コントローラ２４は、電力量計２９ａ、ガス流量計２９ｂ、および水量計２９ｃによる計測値に基づいて、上述の「エネルギ処理状況に関するデータ」を取得することができる。
【００３３】
リモコン２００は、たとえば台所や浴室の壁面に固定されて使用される壁掛け方式のものであり、樹脂製の筐体（図示せず）に格納されて構成される。すなわち、リモコン２００は複数個配置されてもよい。
【００３４】
リモコン２００は、制御部２１０と、スピーカ２１３と、マイク２１４と、通信部２２０と、操作部２３０と、表示部３００とを含む。
【００３５】
制御部２１０は、代表的にはマイクロコンピュータによって構成されて、リモコン２００の各部の動作制御やデータ処理を実行する。通信部２２０は、エネルギシステム１００のコントローラ２４（図１）との間でデータ通信を実行するように構成される。
【００３６】
表示部３００は、ユーザが視認できる態様で情報やデータを表示するために、液晶パネルあるいは有機ＥＬパネルなどを用いて構成される。後述するように、表示部３００は、所定部位におけるユーザの押圧動作を認識可能に構成できるタッチパネルによって構成されることが好ましい。表示部３００における表示内容は、制御部２１０によって制御される。
【００３７】
操作部２３０は、ユーザ指示を入力するための操作スイッチ（図示せず）を含んで構成される。操作部２３０は、上記タッチパネル上に操作ボタンの態様で表示された所定領域を含む。
【００３８】
スピーカ２１３は、制御部２１０から指令された音声データや音楽データを出力する。これにより、ユーザが聴認される情報を出力できる。また、マイク２１４およびスピーカ２１３を用いて、複数のリモコン２００間でユーザ同士の会話が可能となる。
【００３９】
なお、エネルギシステム１００のコントローラ２４および／またはリモコン２００の制御部２１０には、現在日時などを検知するためのカレンダ・クロック（図示せず）がさらに設けられる。
【００４０】
制御部２１０は、表示部３００を利用したデータ表示を制御することができる。これにより、タッチパネルを含む操作部２３０のスイッチ操作などに基づいて、所定の期間におけるエネルギ消費量や発電量などの「エネルギ処理状況に関するデータ」を表示部３００に表示することができる。すなわち、本実施の形態では、リモコン２００によって「エネルギ表示装置」が構成される。
【００４１】
特に、本実施の形態に従うエネルギ表示装置では、ユーザによって選択可能な基準期間における「エネルギ処理状況に関するデータ」と、当該基準期間と同一の期間長を有する比較期間における「エネルギ処理状況に関するデータ」との比較表示を行うものである。以下では、このような比較表示を、単に、「基準データ」および「比較データ」の比較表示とも称する。
【００４２】
制御部２１０は、上記比較表示に必要となる、電力などのエネルギの量を料金に換算するためのデータや、過去のエネルギ消費量のデータなどの種々のデータを、後述するデータテーブルを用いて記憶している。これらのデータは、コントローラ２４から通信によって取得することができる。あるいは、制御部２１０は、コントローラ２４を介さずに、電力量計２９ａ、ガス流量計２９ｂ、および水量計２９ｃとの直接の通信によって、これらのデータを取得することも可能である。
【００４３】
また、これらのデータはエネルギシステム１００のコントローラ２４に記憶されてもよい。この場合には、データ比較表示のための制御部２１０からの要求に応じて、コントローラ２４から制御部２１０へ通信部２２０を経由しでデータが送信される。
【００４４】
次に、本実施の形態に従うエネルギ表示装置におけるデータ比較表示について、表示部３００に表示される画面の具体例を挙げて説明する。まず、図２および図３を用いて、基準期間に対する比較期間が、基準期間と同一期間長の直前期間であるときの比較表示（以下、直前比較表示とも称する）の例について説明する。
【００４５】
図２は、本実施の形態に従うエネルギ表示装置における直前比較表示の第１の画面例を示す図である。
【００４６】
図２（ａ）〜（ｃ）に示される表示画面３１０は、表示部３００に表示される。表示画面３１０は、基準データおよび比較データを並べて表示するものである。
【００４７】
図２（ａ）〜（ｃ）を参照して、ユーザは、表示画面３１０上で横方向に配列された複数のタブに選択的にタッチすることによって、表示されるデータ項目を選択することができる。以下、本実施の形態では、ユーザがタブ３０４を選択することによって、エネルギシステム１００での「使用電力量」が表示対象に選択されている場合の画面例を説明する。図２の例では、「エネルギ処理状況に関するデータ」として、上記使用電力量の他に、系統電源に対する売電電力量、系統電源からの買電電力量、燃料ガスの使用量、エネルギシステム１００からのＣＯ２排出量、エネルギシステム１００への入水量、ソーラ電池パネル２６による発電量等を選択可能である。
【００４８】
さらに、表示画面３１０上で縦方向に配列された複数のタブ３０１〜３０３にタッチすることによって、基準期間の期間長を選択することができる。
【００４９】
図２（ａ）の例では、タブ３０１を選択することによって、基準期間の期間長が「日」に選択されている。この場合において、基準期間のデフォルト値は「今日」に設定される。さらに、直前比較表示では、基準期間の直前期間が、自動的に比較期間に設定される。したがって、基準期間が「今日」であるとき、比較期間は「昨日」となる。
【００５０】
この結果、図２（ａ）では、基準データＤ１に相当する、本日（たとえば、６月２３日）の使用電力量（たとえば、１８．５ｋＷｈ）と、比較データＤ２に相当する、昨日（たとえば、６月２２日）の使用電力量（たとえば、３２．５ｋＷｈ）とが並べて表示される。これにより、ユーザは、表示画面３１０により、基準データＤ１および比較データＤ２を容易に比較することができる。
【００５１】
次に、図２（ｂ）の例では、タブ３０２を選択することによって、基準期間の期間長が「月」に選択されている。この場合において、基準期間のデフォルト値は「今月」に設定される。さらに、基準期間が「今月」であるとき、比較期間は「先月」となる。この結果、図２（ｂ）では、基準データＤ１に相当する、今月（たとえば、６月）の使用電力量（たとえば、３５８ｋＷｈ）と、比較データＤ２に相当する、昨日（たとえば、５月）の使用電力量を示すデータＤ２（たとえば、３７８ｋＷｈ）とが並べて表示される。
【００５２】
さらに、図２（ｃ）の例では、タブ３０３を選択することによって、基準期間の期間長が「年」に選択されている。この場合において、基準期間のデフォルト値は「今年」に設定される。さらに、基準期間が「今年」であるとき、比較期間は「昨年」となる。この結果、図２（ｂ）では、基準データＤ１に相当する、今年（たとえば、２０１５年）の使用電力量（たとえば、２１００ｋＷｈ）と、比較データＤ２に相当する、昨年（たとえば、２０１４年）の使用電力量（たとえば、４５００Ｗｈ）とが並べて表示される。
【００５３】
図２（ａ）〜（ｃ）を通じて、表示画面３１０上には、基準期間を切替えるためのアイコン３０７，３０８がさらに設けられる。ユーザがアイコン３０７を操作する毎に、基準期間は、タブ３０１〜３０３によって選択された期間長に従って、１つずつ繰り下がる。これに対して、ユーザがアイコン３０８を操作する毎に、アイコン３０７によって繰り下げられた基準期間が、当該期間長に従って１つずつ戻される。
【００５４】
図２（ａ）の状態で、アイコン３０７が１回操作されると、基準期間が６月２２日、比較期間が６月２１日に繰り下がる。これにより、６月２２日の使用電力量が基準データＤ１として表示されるとともに、６月２１日の使用電力量が比較データＤ２として表示される。さらにアイコン３０７が１回操作されると、基準期間が６月２１日、比較期間が６月２０日にさらに繰り下がる。
【００５５】
また、この状態（アイコン３０７を２回操作した後）から、アイコン３０８が１回操作されると、基準期間（基準日）が６月２２日、比較期間が６月２１日に１日分だけ戻される。さらにもう１回アイコン３０８が操作されると、基準期間（基準日）が６月２３日、比較期間が６月２２日となって、表示部３００は、図２（ｂ）の表示画面３１０に復帰する。
【００５６】
同様に、図２（ｂ）の状態でアイコン３０７が１回操作されると、基準期間（基準月）が２０１５年５月、比較期間が２０１５年４月に繰り下がる。これにより、５月の使用電力量が基準データＤ１として表示されるとともに、４月の使用電力量が比較データＤ２として表示される。さらにアイコン３０７が１回操作されると、基準期間（基準月）が４月、比較期間が３月にさらに繰り下がる。
【００５７】
また、この状態（アイコン３０７を２回操作した後）から、アイコン３０８が１回操作されると、基準期間が５月、比較期間が４月に１ケ月分戻され、さらにもう１回アイコン３０８が操作されると、基準期間が６月、比較期間が５月となって、表示部３００は、図２（ｂ）の表示画面３１０に復帰する。
【００５８】
また、図２（ｃ）の状態でアイコン３０７が１回操作されると、基準期間（基準年）が２０１４年、比較期間が２０１３年に繰り下がる。これにより、２０１４年の使用電力量が基準データＤ１として表示されるとともに、２０１３年の使用電力量が比較データＤ２として表示される。さらにアイコン３０７が１回操作されると、基準期間（基準年）が２０１２年、比較期間が２０１１年にさらに繰り下がる。
【００５９】
また、この状態（アイコン３０７を２回操作した後）から、アイコン３０８が１回操作されると、基準期間が２０１４年、比較期間が２０１３年に１年分戻され、さらにもう１回アイコン３０８が操作されると、基準期間が２０１５年、比較期間が２０１４年となって、表示部３００は、図２（ｃ）の表示画面３１０に復帰する。
【００６０】
なお、図２（ａ）〜（ｃ）の状態から、アイコン３０８が操作されても、基準期間および比較期間は維持される。すなわち、基準期間がデフォルト値である状態では、アイコン３０８を操作しても基準期間および比較期間は変化しない。
【００６１】
図２（ａ）〜（ｃ）を通じて、表示画面３１０上には、表示画面を切替えるためのアイコン３０５が設けられる。ユーザがアイコン３０５を操作すると、表示部３００が、数値を並べて表示する表示画面３１０（以下、数値表示画面３１０とも称する）から、グラフを比較表示するための表示画面３２０（以下、グラフ表示画面３２０とも称する）へ切替えられる。
【００６２】
図３は、本実施の形態に従うエネルギ表示装置における直前比較表示の第２の画面例を示す図である。
【００６３】
図３（ａ），（ｂ）には、図２（ａ）の状態の数値表示画面３１０においてアイコン３０５が操作されたときのグラフ表示画面３２０が示される。すなわち、図３（ａ），（ｂ）においても、基準期間は６月２３日であり、比較期間は６月２２日である。
【００６４】
図３（ａ）を参照して、表示画面３２０には、６月２３日の基準データＤ１が、グラフ表示される。たとえば、６月２３日における使用電力量を１時間毎にさらに細分化した内訳データを示すグラフＧ１によって、棒グラフの態様で基準データＤ１が表示される。さらに、グラフＧ１とともに、使用電力量（図２（ａ）と同様に１８．５ｋＷｈ）が数値表示されてもよい。
【００６５】
グラフ表示画面３２０では、１画面中に２個のグラフを表示すると、表示面積の点からユーザの視認性が低下することが懸念される。したがって、グラフ表示画面３２０では、ユーザ操作を伴う２画面の切替えによって、比較表示が実行されるものとする。このように、本実施の形態の従うエネルギ表示装置によるデータの比較表示は、１画面内での配列表示の他、複数画面の間での切替表示についても含むものである。
【００６６】
図３（ａ），（ｂ）の例では、ユーザは、タブ３２１，３２２の選択操作によって、基準期間および比較期間の選択が可能である。図３（ａ）では、タブ３２１が操作されることにより、基準データＤ１がグラフ表示されている。
【００６７】
図３（ａ）の状態から、タブ３２２が操作されると、グラフ表示画面３２０は、比較データＤ２を表示するための図３（ｂ）に切替えられる。
【００６８】
図３（ｂ）を参照して、表示画面３２０には、６月２２日の比較データＤ２がグラフ表示される。たとえば、図２（ａ）と同様に、６月２２日における使用電力量を１時間毎にさらに細分化した内訳データを示すグラフＧ２によって、棒グラフの態様で比較データＤ２が表示される。さらに、グラフＧ２とともに、使用電力量（図２（ａ）と同様に３２．５ｋＷｈ）が数値表示されてもよい。
【００６９】
図３（ａ），（ｂ）を通じて、表示画面３２０においても、表示画面３１０と同様に、基準期間を選択するためのアイコン３０７，３０８がさらに設けられる。
【００７０】
たとえば、図３（ａ）の状態からアイコン３０７が１回操作されると、基準期間が１日繰り下げられて、６月２２日（すなわち、昨日）となる。これに応じて、タブ３２１の表示が「６月２２日（昨日）」に切替えられるとともに、グラフＧ１は、６月２２日の使用電力量に基づく内容（図３（ｂ）中のグラフＧ２相当）が表示されるようになる。さらに、比較期間も同様に１日繰り下げられるので、タブ３２２の表示についても、「６月２１日」を示すものに切替えられる。この状態からアイコン３０８を１回操作すると、グラフ表示画面３２０は、図３（ａ）の内容に復帰する。
【００７１】
同様に、図３（ｂ）の状態からアイコン３０７が１回操作されても、基準期間が１日繰り下げられて６月２２日（すなわち、昨日）となるとともに、比較期間も１日繰り下げられて６月２１日となる。これに応じて、タブ３２１，３２２の表示は、図３（ａ）でアイコン３０７を１回操作したときと同様に切替えられる。さらに、グラフＧ２は、更新された比較期間である６月２１日の使用電力量に基づく内容を表示する。この状態からアイコン３０８を１回操作すると、グラフ表示画面３２０は、図３（ｂ）の内容に復帰する。
【００７２】
図３（ａ），（ｂ）を通じて、グラフ表示画面３２０上には、数値表示画面３１０へ切替えるためのアイコン３０６が設けられる。ユーザがアイコン３０６を操作すると、基準期間および比較期間を維持したままで、グラフ表示画面３２０から数値表示画面３１０への切替えが実行される。すなわち、図３（ａ）または（ｂ）の状態でアイコン３０６が操作されると、表示部３００は、図２（ａ）の状態に切り替えられる。
【００７３】
なお、図３（ａ），（ｂ）では、基準期間の期間長が「日」であるときの表示例を示したが、当該期間長が「月」のときにも、日間（１日〜末日）のデータに細分化した棒グラフによってグラフＧ１，Ｇ２を表示することができる。同様に、当該期間長が「年」のときには、月間（１月〜１２月）のデータに細分化した棒グラフによってグラフＧ１，Ｇ２を表示することができる。
【００７４】
本発明の実施の形態に従うエネルギ表示装置では、上記のように、タブ３０１〜３０３によって期間長（日／月／年）を選択可能な基準期間と、基準期間と対比される比較期間とのそれぞれのデータを、数値表示画面３１０またはグラフ表示画面３２０により１画面または２画面を用いて比較表示する。
【００７５】
ただし、図２および図３のように、比較期間を、基準期間の直前期間（昨日／先月）に固定すると、ユーザの生活パターン（休日／勤務日）の差異または気候の差異によって、必ずしも比較が有意ではないデータ同士が比較表示の対象となってしまう虞がある。したがって、本発明の実施の形態に従うエネルギ表示装置は、比較期間の設定をユーザが選択可能に構成する。
【００７６】
図４には、本発明の実施の形態に従うエネルギ表示装置での比較表示における比較対象をユーザが選択するための入力画面の例が示される。
【００７７】
図４を参照して、表示設定画面３３０は、操作部２３０（図１）に所定の操作を行うことで表示部３００に表示される。
【００７８】
表示設定画面３３０は、表示内容を設定するための複数のアイコンを含む。当該複数のアイコン中に、比較表示における比較期間の設定を選択するためのアイコン３４０が設けられる。
【００７９】
ユーザがアイコン３４０を操作すると、アイコン３４１および３４２が表示される。ユーザは、アイコン３４１または３４２の一方を選択することができる。
【００８０】
アイコン３４１が選択されると、図２および図３で説明したように、基準期間（日／月）の直前期間（昨日／先月）が比較期間に設定される。これに対して、アイコン３４２が選択されると、直前期間とは異なる他の所定期間、たとえば、前週の同一曜日（同曜）また昨年の同一月（同月）が比較期間に設定される。すなわち、直前期間は「第１の所定期間」の一実施例であり、上記他の所定期間は「第２の所定期間」の一実施例である。このように、アイコン３４１，３４２への操作によって、「第１の所定期間」および「第２の所定期間」の一方を「比較期間」に選択できる。
【００８１】
なお、以下の実施の形態では、基準期間の期間長が「年」に設定されている場合には、比較期間は固定的に「前年」に設定されるものとする。ただし、ユーザが基準期間および比較期間の間の年数を直接入力できるように、表示設定画面３３０を構成することも可能である。
【００８２】
次に、アイコン３４２が選択されて、比較期間として同曜または同日が設定されたときの比較表示（以下、同種比較表示とも称する）の態様を図５〜図９を用いて説明する。
【００８３】
図５には、本実施の形態に従うエネルギ表示装置における同種比較表示の第１の画面例が示される。図５には、図２と同様の数値表示画面が示される。図５においても、タブ３０１〜３０３は、図２と同内容で表示される。
【００８４】
図５（ａ）には、タブ３０１が選択されたときの同種比較表示の例が示される。図５（ａ）では、基準期間が図２（ａ）と同一であるときの、同種比較表示のための数値表示画面３１０が示される。
【００８５】
したがって、図５（ａ）では、ユーザがタブ３０１およびタブ３０４を選択することにより、図２（ａ）と同様に、６月２３日の使用電力量（たとえば、１８．５ｋＷｈ）が、基準データＤ１として表示される。さらに、一週間前の６月１６日（すなわち、同曜日）における使用電力量（たとえば、１９．８ｋＷｈ）が、比較データＤ２として、基準データＤ１と並べて表示される。これにより、ユーザは、表示画面３１０により、基準期間（日）と、前週の同一曜日との間で、基準データＤ１および比較データＤ２を容易に比較することができる。
【００８６】
図５（ｂ）には、タブ３０２が選択されたときの同種比較表示の例が示される。図５（ｂ）では、基準期間が図２（ｂ）と同一であるときの、同種比較表示のための数値表示画面３１０が示される。
【００８７】
したがって、図５（ｂ）では、ユーザがタブ３０２およびタブ３０４を選択することにより、図２（ｂ）と同様に、６月の使用電力量（たとえば、４０００ｋＷｈ）が、基準データＤ１として表示される。さらに、昨年の同月（６月）における使用電力量（たとえば、４５００ｋＷｈ）が、比較データＤ２として、基準データＤ１と並べて表示される。これにより、ユーザは、表示画面３１０により、基準期間（月）と、前年の同月との間で、基準データＤ１および比較データＤ２を容易に比較することができる。
【００８８】
図５（ａ），（ｂ）での同種比較表示のための数値表示画面３１０においても、基準期間を切替えるためのアイコン３０７，３０８がさらに設けられる。
【００８９】
図６には、図５の状態から基準期間を変更したときの表示画面が示される。図６（ａ）には、図５（ａ）の状態からアイコン３０７を１回操作したときの表示画面が示される。
【００９０】
図６（ａ）を参照して、図５（ａ）の状態からアイコン３０７が１回操作されると、基準期間が６月２２日に繰り下がる。これに応じて、比較期間は、変更された基準期間（６月２２日）の一週間前の６月１５日（すなわち、先週同曜日）に自動的に切替えられる。
【００９１】
これにより、６月２２日の使用電力量が基準データＤ１として表示されるとともに、６月１５日（先週）の使用電力量が比較データＤ２として表示される。さらにアイコン３０７がもう１回操作されると、基準期間が６月２１日に、比較期間が６月１４日にさらに繰り下がる。
【００９２】
また、この状態（アイコン３０７を２回操作した後）から、アイコン３０８が１回操作されると、基準期間が６月２２日、比較期間が６月１５日に１日分戻されて、表示部３００は、図６（ａ）の数値表示画面３１０に復帰する。さらにもう１回アイコン３０８が操作されると、基準期間が６月２３日、比較期間が６月１６日となって、表示部３００は、図５（ａ）の数値表示画面３１０に復帰する。
【００９３】
図６（ｂ）には、図５（ｂ）の状態からアイコン３０７を１回操作したときの表示画面が示される。
【００９４】
図６（ｂ）を参照して、図５（ｂ）の状態からアイコン３０７が１回操作されると、基準期間（基準月）が５月に繰り下がる。これに応じて、比較期間は、変更された基準期間（５月）の一年前の５月（すなわち、前年同月）に自動的に切替えられる。
【００９５】
これにより、基準期間である２０１５年５月（基準月）の使用電力量が基準データＤ１として表示されるとともに、２０１４年５月（基準月の前年同月）の使用電力量が比較データＤ２として表示される。さらにアイコン３０７がもう１回操作されると、基準期間（基準月）が２０１５年４月に、比較期間が２０１４年４月にさらに繰り下がる。
【００９６】
また、この状態（アイコン３０７を２回操作した後）から、アイコン３０８が１回操作されると、基準期間が２０１５年５月、比較期間が２１０４年５月に１ケ月分戻されて、表示部３００は、図６（ｂ）の表示画面３１０に復帰する。さらにもう１回アイコン３０８が操作されると、基準期間が２０１５年６月、比較期間が２０１４年６月となって、表示部３００は、図５（ｂ）の表示画面３１０に復帰する。
【００９７】
図５および図６に示されるように、同種比較表示のための数値表示画面３１０においても、グラフ表示画面３２０へ切替えるためのアイコン３０５が設けられる。ユーザがアイコン３０５を操作すると、表示部３００が、現在の数値表示画面３１０での基準期間を維持して、グラフ表示画面３２０へ切替えられる。
【００９８】
図７には、本発明の実施の形態に従うエネルギ表示装置における同種比較表示でのグラフ表示画面３２０の例が示される。図７（ａ），（ｂ）には、図５（ａ）の状態において、アイコン３０５が操作されたときのグラフ表示画面３２０が示される。
【００９９】
したがって、図７（ａ），（ｂ）において、基準期間（基準日）は、６月２３日であり、比較期間は、一週間前の６月１６日（すなわち、同曜日）である。さらに、図７（ａ）および（ｂ）は、図３（ａ），（ｂ）と同様に、タブ３２１，３２２によって選択される。
【０１００】
図７（ａ）に示されるように、タブ３２１の選択時には、基準データＤ１がグラフ表示される。したがって、図７（ａ）では、図３（ａ）と同様のグラフＧ１によって、基準データＤ１が表示される。さらに、グラフＧ１とともに、６月２３日の使用電力量（１８．５ｋＷｈ）が数値表示される。
【０１０１】
図７（ｂ）に示されるように、タブ３２２の選択時には、比較データＤ２がグラフ表示される。したがって、図７（ｂ）では、６月１６日（前週の同一曜日）の使用電力量をさらに細分化したグラフＧ２によって、棒グラフの態様で比較データＤ２が表示される。さらに、グラフＧ２とともに、６月１６日の使用電力量（１９．８ｋＷｈ）が数値表示される。
【０１０２】
図７（ａ），（ｂ）を通じて、同種比較表示におけるグラフ表示画面３２０においても、基準期間を切替えるためのアイコン３０７，３０８がさらに設けられる。
【０１０３】
図８には、図７の状態から基準期間を変更したときの表示画面が示される。図８（ａ）には、図７（ａ）の状態からアイコン３０７を１回操作したときの表示画面が示される。
【０１０４】
図８（ａ）を参照して、図７（ａ）の状態からアイコン３０７が１回操作されると、基準期間が６月２２日に繰り下がる。これに応じて、比較期間は、変更された基準期間（６月２２日）の一週間前の６月１５日（すなわち、先週同曜日）に自動的に切替えられる。これにより、グラフ表示画面３２０には、６月２２日の使用電力量を細分化したグラフＧ１が基準データＤ１として表示される。さらに、６月２２日の使用電力量（３２．５ｋＷｈ）がグラフＧ１と併せて数値表示される。
【０１０５】
図８（ａ）の状態からタブ３２１に代えてタブ３２２を選択すると、図８（ｂ）に示されるように、グラフ表示画面３２０には、アイコン３０７の操作による切替後の比較期間である６月１５日の使用電力量を細分化したグラフＧ２が、比較データＤ２として表示される。さらに、６月１５日の使用電力量（３０．９ｋＷｈ）がグラフＧ２と併せて数値表示される。
【０１０６】
なお、タブ３２２が選択された図７（ｂ）の状態においてアイコン３０７が操作されても、同様に、図８（ｂ）のグラフ表示画面３２０が表示される。また、図８（ａ）の状態でアイコン３０８が操作されると、表示部３００は、図７（ａ）のグラフ表示画面３２０に復帰する。同様に、図８（ｂ）の状態でアイコン３０８が操作されると、表示部３００は、図７（ｂ）のグラフ表示画面３２０に復帰する。
【０１０７】
図９には、図７および図８に示されたグラフ値表示画面の変形例が示される。図９は、図７および図８と比較して、グラフ表示画面での比較表示のための画面切替のユーザ入力態様が異なる。
【０１０８】
図９（ａ）を参照して、基準データを表示するグラフ表示画面３２０♯は、図７（ａ）のグラフ表示画面３２０と比較して、タブ３２１および３２２に代えてアイコン３０９が表示される点で異なる。基準データＤ１として表示されるグラフＧ１は、グラフ表示画面３２０および３２０♯の間で共通である。
【０１０９】
一方で、図９（ｂ）には、比較データを表示するグラフ表示画面３２０♯が示される。図９（ｂ）および図７（ｂ）の間でも、タブ３２１および３２２に代えてアイコン３０９が表示される点のみが異なり、比較データＤ２として表示されるグラフＧ２は共通である。
【０１１０】
図９（ａ），（ｂ）に示されるグラフ表示画面３２０♯では、基準期間の表示と比較期間の表示との画面切替が、アイコン３０９が操作される毎に切替えられる。
【０１１１】
具体的には、図９（ａ）の基準データを表示するグラフ表示画面３２０♯においてアイコン３０９を操作すると、図９（ｂ）に示される比較データを表示するグラフ表示画面３２０♯が表示部３００に表示される。一方で、図９（ｂ）のグラフ表示画面３２０♯においてアイコン３０９を操作すると、図９（ａ）に示されるグラフ表示画面３２０♯が表示部３００に表示される。
【０１１２】
図７〜図９を通じて、同種比較表示のためのグラフ表示画面３２０においても、直前比較表示のためのグラフ表示画面（図３）と同様に、数値表示画面３１０へ切替えるためのアイコン３０６が設けられる。ユーザがアイコン３０６を操作すると、基準期間および比較期間を維持したままで、グラフ表示画面３２０から数値表示画面３１０への切替えが実行される。たとえば、図７（ａ），（ｂ）または図９（ａ），（ｂ）の状態でアイコン３０６が操作されると、表示部３００は、図５（ａ）の状態に切り替えられる。同様に、図８（ａ），（ｂ）の状態でアイコン３０６が操作されると、表示部３００は、図６（ａ）の状態に切り替えられる。
【０１１３】
本実施の形態に従うエネルギ表示装置では、以上説明した比較表示のために、以下のようなデータ記憶および制御処理が実行される。
【０１１４】
図１０および図１１は、本実施の形態に従うエネルギ表示装置におけるデータ記憶構造を説明するための概念図である。
【０１１５】
図１０は、日間データを格納するためのデータテーブル５００の概念的な構成図である。
【０１１６】
図１０を参照して、月、日および曜日（日〜土）に対応付けて、各日付のデータがデータテーブル５００に記憶される。データテーブル５００は、各日付のデータを１時間毎に細分化して記憶するデータテーブル５１０を有する。データテーブル５１０の記憶データにより、基準期間の期間が「日」である場合のグラフ表示（図３、図７等）が可能となる。
【０１１７】
データテーブル５００，５１０によって記憶する日数は、表示に必要な日数分だけ必要である。さらに、アイコン３０７によって変更可能な基準期間の日数分についても、データテーブル５００による記憶が必要となる。
【０１１８】
図１１は、月間データを格納するためのデータテーブル５２０の概念的な構成図である。
【０１１９】
年および月に対応付けて、各月のデータがデータテーブル５２０に記憶される。データテーブル５２０は、各月のデータを日毎に細分化して記憶するデータテーブル５３０を有する。また、基準期間の期間長が年であるときの年間のデータは、データテーブル５２０に記憶された１年分のデータを合計することによって算出することができる。
【０１２０】
データ記憶容量を抑制するために、データテーブル５００（５１０）による保存日数は最小限に止め、データテーブル５００での保存期間が終了した日付のデータについては、日間積算値および月間積算値を、データテーブル５３０および５２０によってそれぞれ記憶することが好ましい。
【０１２１】
なお、図１０および図１１に示されたデータテーブル５００，５２０は、「エネルギ処理状況に関するデータ」のうちの比較表示の対象として選択可能なデータ項目の各々に対応して設けられる。データテーブル５００，５２０は、エネルギシステム１００のコントローラ２４に設けられてもよく、リモコン２００の制御部２１０に設けられてもよい。
【０１２２】
また、データテーブル５１０により１時間毎に細分化してデータを記憶することにより、基準期間の期間長が「日」である場合には、所定時刻（好ましくは、０時）から現在時刻（あるいは、それ以前の時刻）までのデータ積算値を比較表示することができる。たとえば、現在時刻が１０時５分であり、かつ、基準期間が「今日」であるときには、今日の０時〜１０時までの積算値と、比較期間に対応する日（昨日または前週同曜日）における０時〜１０時までの同一の時刻間の積算値を、基準データＤ１および比較データＤ２として比較表示することが可能である。
【０１２３】
同様に、基準期間の期間長が「月」である場合には、所定日（たとえば、１日）から今日まで期間でのデータの積算値を比較表示することができる。たとえば、今日が１３日であり、基準期間が「今月」であるときには、今月の１日から１３日までの積算値と、比較期間に対応する月（先月または前年同月）における１日から１３日までの同一期間長での積算値を、基準データＤ１および比較データＤ２として比較表示することが可能である。なお、「今日までの期間」とは、今日の０時ちょうどから現在時刻までのいずれの時刻を終点とするものでもよい。
【０１２４】
また、基準期間の期間長が「年」である場合にも、所定日（たとえば、１月１日）から今日までのデータ積算値を比較表示することができる。たとえば、今日が５月２０日であり、基準期間が「今年」であるときには、今年の１月１日〜５月２０日までの積算値と、比較期間に対応する年（昨年）における１月１日〜５月２０日までの同一期間長での積算値を、基準データＤ１および比較データＤ２として比較表示することが可能である。
【０１２５】
このような、基準期間（日／月／年）および比較期間（日／月／年）の間で、比較表示される基準データＤ１および比較データＤ２の積算期間長を揃えるか否かについても、ユーザが選択できるように表示設定画面３３０（図４）を構成することが好ましい。
【０１２６】
なお、基準期間が、昨日またはそれ以前の日である場合には、基準期間（日）および比較期間（日）の各々において、データは、たとえば、０時〜２４時までの同一の所定時間帯での積算値とされる。同様に、基準期間が先月またはそれ以前の月である場合には、基準期間（月）および比較期間（月）の各々において、データはたとえば、１日〜末日までの同一の所定期間長での積算値とされ、基準期間が昨年またはそれ以前の年である場合には、基準期間（年）および比較期間（年）の各々において、データは、たとえば１月１日〜１２月３１日までの同一の所定期間長での積算値とされる。
【０１２７】
図１２は、本実施の形態に従うエネルギ表示装置における比較表示のための制御処理を説明するフローチャートである。図１２に示すフローチャートは、たとえばリモコン２００の制御部２１０により実行される。
【０１２８】
図１２を参照して、制御部２１０は、ステップＳ１００により、ユーザによって指定された基準期間を取得する。上述のように、基準期間は、図２等に示した、タブ３０１〜３０３およびアイコン３０７，３０８へのユーザ操作に従って定められる。
【０１２９】
具体的には、タブ３０１〜３０３の選択により、基準期間の期間長が「日」、「月」および「年」のいずれであるかが選択される。さらに、各期間長に選択時におけるデフォルト値（今日／今月／今年）と、アイコン３０７，３０８への操作入力とに応じて、基準期間（基準日／基準月／基準年）が確定されて取得される。
【０１３０】
制御部２１０は、ステップＳ１１０により、ステップＳ１００で取得された基準期間に対応する基準データＤ１を、データテーブル５００，５２０から読出す。さらに、制御部２１０は、ステップＳ１２０により、表示設定画面３３０（図４）へのユーザ入力に従って、直前期間を比較期間とする直前比較が選択されているか否かを判定する。
【０１３１】
制御部２１０は、アイコン３４１により直前比較が選択されている場合（Ｓ１２０のＹＥＳ判定時）には、ステップＳ１４０に処理を進めて、基準期間（日／月／年）の直前期間（日／月／年）のデータを、比較データＤ２としてデータテーブル５００，５２０から読出す。一方で、制御部２１０は、アイコン３４２により同種比較が選択されている場合（Ｓ１２０のＮＯ判定時）には、ステップＳ１３０に処理を進めて、基準日の前週同曜日または、基準月の前年同月のデータを、比較データＤ２としてデータテーブル５００，５２０から読出す。
【０１３２】
なお、ステップＳ１１０，Ｓ１３０，Ｓ１４０において、データテーブル５００，５２０が、エネルギシステム１００のコントローラ２４に設けられている場合には、通信部２２０を経由して、基準データＤ１および比較データＤ２が読出される。また、基準期間の期間長が「年」である場合には、ステップＳ１２０は一律にＹＥＳ判定とされる。
【０１３３】
さらに、制御部２１０は、ステップＳ１５０により処理を進めて、読出された基準データＤ１および比較データＤ２を、数値表示画面３１０（図２等）またはグラフ表示画面３２０（図３等），３２０♯（図９）により、表示部３００を用いて比較表示する。たとえば、基準データＤ１および比較データＤ２が読出された後の初回の比較表示を、数値表示画面３１０およびグラフ表示画面３２０，３２０♯をいずれとするかについても、デフォルト値を適宜定めた上で、ユーザによって選択可能とすることが好ましい。
【０１３４】
また、ステップＳ１５０による処理は、基準期間および比較期間が変化しておらず、基準データＤ１および比較データＤ２が同一であっても、表示態様を切替えるためのアイコン３０５，３０６（図２，図３等）、タブ３２１，３２２（図３等）およびアイコン３０９（図９）が操作される度に、表示内容を更新するために実行される。
【０１３５】
一方で、タブ３０１〜３０３またはアイコン３０８，３０９が操作されると、基準期間が変更される。したがって、これらのタブが操作される毎に、図１２のフローチャートに従う制御処理が起動される。
【０１３６】
以上説明したように、本実施の形態に従うエネルギ表示装置によれば、ユーザに指定された基準期間に対する比較期間を固定することなく、エネルギ使用量に代表される「エネルギ処理状況に関するデータ」の比較表示を行うことができる。したがって、ユーザの生活パターン（休日／勤務日）の差異または気候の差異のために効果が低い比較表示が固定的に実行されることを回避して、ユーザ利便性を向上することができる。
【０１３７】
［変形例］
次に、本実施の形態の変形例として、比較期間を直前期間および同種期間の間で自動的に選択する比較表示について説明する。
【０１３８】
図１３は、実施の形態の変形例に従うエネルギ表示装置における比較対象を選択するための入力画面の例を示す図である。
【０１３９】
図１３を図４と比較して、実施の形態の変形例では、図４に示した表示設定画面３３０におけるアイコン３４０を操作時に、アイコン３４１，３４２に加えて、アイコン３４５が表示される。
【０１４０】
ユーザがアイコン３４５を操作すると、アイコン３４１による比較期間の設定（直前期間）と、アイコン３４２による比較期間の設定（同種期間）とを自動的に選択する自動選択が指定される。
【０１４１】
図１４は、本発明の実施の形態の変形例に従うエネルギ表示装置での比較表示のための制御処理を説明するフローチャートである。
【０１４２】
図１４に示されたフローチャートは、アイコン３４５の選択時に、制御部２１０により実行される。アイコン３４１または３４２の選択時には、図１２に示されたフローチャートが、制御部２１０によって実行される。
【０１４３】
図１４を参照して、制御部２１０は、ステップＳ２００により、図１２のステップＳ１００と同様処理によって基準期間を取得する。
【０１４４】
制御部２１０は、ステップＳ２１０により、図１２のステップＳ１１０と同様の処理によって、ステップＳ２００で取得された基準期間（日／月／年）に対応する基準データＤ１を、データテーブル５００，５２０から読出す。
【０１４５】
さらに、制御部２１０は、ステップＳ２２０により、図１２のステップＳ１４０と同様の処理によって、ステップＳ２００で取得された基準期間（日／月／年）の直前期間（日／月／年）のデータを、所定期間データＤ３として、データテーブル５００，５２０から読出す。
【０１４６】
制御部２１０は、ステップＳ２３０により、基準データＤ１および所定期間データＤ３の差ΔＴを算出する（ΔＤ＝Ｄ１−Ｄ３）。制御部２１０は、ステップＳ２４０により、差の絶対値（｜ΔＤ｜）が判定値Ｄｔｈよりも大きいかどうかを判定する。
【０１４７】
なお、差ΔＴを有意なものとするためには、ステップＳ２１０，Ｓ２２０における基準データＤ１および所定期間データＤ３の間で期間長を正確に揃えることが好ましい。たとえば、基準期間が「今日」である場合には、今日の所定時刻（たとえば、０時）から現在時刻までの積算値を基準データＤ１として読出すとともに、「昨日」の同一所定時刻から現在時刻に基づく時刻（現在時刻あるいは、それ以前の時刻）と同一時刻までの積算値を比較データＤ２として読出すことが好ましい。同様に、基準期間が「今月」である場合には、今月の所定日（たとえば、１日）から今日までの期間の積算値を基準データＤ１として読出すとともに、「先月」における上記期間と同一の期間長における積算値を比較データＤ２として読出すことが好ましい。ここで、「今日までの期間」とは、今日の０時ちょうどから現在時刻までのいずれの時刻を終点とするものでもよい。
【０１４８】
一方で、基準期間が昨日またはそれ以前の日である場合には、基準データＤ１および比較データＤ２とも所定時間帯（たとえば、２４時間）の積算値とすることができる。同様に、基準期間が先月またはそれ以前の月である場合には、基準データＤ１および比較データＤ２とも所定日付の間（たとえば、１日〜末日まで）の積算値とすることができる。
【０１４９】
制御部２１０は、｜ΔＤ｜＞Ｄｔｈのとき（Ｓ２４０のＹＥＳ判定時）には、ステップＳ２５０に処理を進めて、図１２のステップＳ１３０と同様の処理によって、基準日の前週同曜日または、基準月の前年同月のデータを、比較データＤ２として、データテーブル５００，５２０から読出す。この結果、基準日の前週同曜日または、基準月の前年同月を「比較期間」として、比較データＤ２が読み出される。
【０１５０】
一方で、制御部２１０は、｜ΔＤ｜≦Ｄｔｈのとき（Ｓ２４０のＮＯ判定時）には、ステップＳ２６０に処理を進めて、ステップＳ２２０で読出された所定期間データＤ３を比較データＤ２とする（Ｄ２＝Ｄ３）。この結果、直前期間（日／月／年）を「比較期間」として、比較データＤ２が読み出される。なお、基準期間の期間長が「年」である場合には、ステップＳ２４０は一律にＮＯ判定とされる。
【０１５１】
制御部２１０は、ステップＳ２７０により処理を進めて、図１２のステップＳ１５０と同様の処理によって、基準データＤ１および比較データＤ２を、数値表示画面３１０（図２等）またはグラフ表示画面３２０（図３等），３２０♯（図９）により、表示部３００を用いて比較表示する。
【０１５２】
この結果、基準期間データに対して、ステップＳ２２０での読出対象に予め定められた直前期間におけるデータの差が小さい場合には、両者の比較が有意であるため、基準データＤ１を、直前期間のデータと比較表示する。これに対して、基準期間および直前期間の間でのデータの差が大きい場合には、両者の比較が有意ではないと判断して、直前期間ではなく同種期間（前週同曜日または前年同日）のデータと、基準データＤ１とを比較表示する。すなわち、図１４の例において、所定期間データＤ３に対応する直前期間は「第１の所定期間」の一実施例であり、同種期間は「第２の所定期間」の一実施例である。
【０１５３】
直前期間のデータが比較データＤ２として選択される場合には、図２または図３に示した態様で比較表示が実行される。一方、同種期間のデータが比較データＤ２として選択される場合には、図５〜図９のいずれかに示した態様で比較表示が実行される。
【０１５４】
なお、アイコン３４５の選択時においても、タブ３０１〜３０３またはアイコン３０８，３０９が操作されて基準期間が変更される度に、図１４のフローチャートに従う制御処理が起動される。また、基準期間が変化されなくても、表示態様を切替えるためのアイコン３０５，３０６（図２，図３等）、タブ３２１，３２２（図３等）またはアイコン３０９（図９）が操作される度に、表示内容を更新するためにステップＳ２７０の処理が実行される。
【０１５５】
このように、実施の形態の変形例に従うエネルギ表示装置によれば、ユーザによって指定された基準期間と、予め定められた所定期間（たとえば、直前期間）との間でのデータの差に基づいて、２つの所定期間（たとえば、直前期間および同種期間）の一方を比較期間に自動的に選択して比較表示を実行することができる。これにより、比較表示におけるユーザ利便性をさらに向上することができる。
【０１５６】
ここで、図１４において、ステップＳ２２０での読出対象となる「第１の所定期間」を同種期間（前週同曜日または前年同日）とし、ステップＳ２５０での読出対象となる「第２の所定期間」を直前期間とするように自動選択の処理を変形することも可能である。
【０１５７】
なお、表示設定画面３３０による入力によらず、たとえば、デフォルト状態として、実施の形態の変形例で説明した、比較期間が自動的に選択される比較表示のみが自動的に実行されるようにエネルギ表示装置を制御することも可能である。なお、この場合には、上記比較期間の自動選択による比較表示をデフォルト状態として、表示設定画面３３０（図４）へのユーザ入力に応じて、比較期間を自動選択からユーザによる直接選択に切替可能に構成することが好ましい。
【０１５８】
なお、本実施の形態およびその変形例が適用される、エネルギシステム１００およびリモコン２００の構成（図１）は例示に過ぎず、本発明は、適用されるシステムの構成を特に限定することなく、「エネルギ処理状況に関するデータ」の比較表示に共通に適用することができる。
【０１５９】
また、基準期間および表示画面の切替えに関するユーザ指示については、表示部３００での表示画面上（タブおよびアイコン）へ入力される構成を例示したが、表示部３００の外部に設けられたスイッチに対して同様のユーザ指示を入力する構成とすることも可能である。すなわち、表示部３００がタッチパネルによって構成されることは必須ではない。
【０１６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６１】
２０  発電機、２１  加熱装置、２２  貯湯タンク、２３  補助熱源機、２４  コントローラ、２５  熱源機、２６  ソーラ電池パネル、２７  パワーコンディショナ、２８  屋内分電盤、２９ａ  電力量計、２９ｂ  ガス流量計、２９ｃ  水量計、１００  エネルギシステム、２００  リモートコントール装置（リモコン）、２１０  制御部、２１３  スピーカ、２１４  マイク、２２０  通信部、２３０  操作部、３００  表示部、３０１〜３０４，３２１，３２２  タブ、３０５〜３０９，３４０〜３４２，３４５  アイコン、３１０  数値表示画面、３２０  グラフ表示画面、３３０  表示設定画面、５００，５１０，５２０，５３０  データテーブル、Ｄ１  基準データ，Ｄ２  比較データ、Ｄｔｈ  判定値、Ｇ１，Ｇ２  グラフ。
【図１】
2017011361.tif 000003
【図２】
2017011361.tif 000004
【図３】
2017011361.tif 000005
【図４】
2017011361.tif 000006
【図５】
2017011361.tif 000007
【図６】
2017011361.tif 000008
【図７】
2017011361.tif 000009
【図８】
2017011361.tif 000010
【図９】
2017011361.tif 000011
【図１０】
2017011361.tif 000012
【図１１】
2017011361.tif 000013
【図１２】
2017011361.tif 000014
【図１３】
2017011361.tif 000015
【図１４】
2017011361.tif 000016